(57)【特許請求の範囲】
【請求項１】
エレベータのかごに設けられ外部との通話を行うインターホンと、エレベータの状態を監視し状況に応じて発信するエレベータ監視装置と、エレベータの状態を集中して遠隔監視する監視センターと、前記監視センターに設けられた監視端末と、前記監視センターに設けられた通話装置と、前記エレベータ監視装置と前記監視センターの間を結ぶＩＳＤＮ回線により構成されるエレベータの遠隔監視システムにおいて、
前記ＩＳＤＮ回線に２つのチャンネルを設け、１つのチャンネルを情報のやりとりを行う情報伝送用チャンネル、もう１つのチャンネルを音声のやりとりを行う音声伝送用チャンネルとして使用することとし、
前記音声伝送チャンネルを接続していないときにエレベータの故障・異常などを検出した場合、その検出当初の所定期間は前記情報伝送用チャンネルだけ接続することを特徴とするエレベータの遠隔監視システム。
【請求項２】
前記所定期間は、前記監視センターにおいてかご内との通話が必要であると判断するまでの期間を含んでいることを特徴とする請求項１記載のエレベータの遠隔監視システム。
【請求項３】
前記監視センターにおいてかご内との通話が必要であると判断した場合、前記監視センターから前記情報伝送用チャンネルを介して前記エレベータ監視装置に、通話が必要であると特定したかご内との通話を行うために必要な情報を伝送し、その後に前記音声伝送用チャンネルを接続することを特徴とする請求項２記載のエレベータの遠隔監視システム。
【請求項４】
前記エレベータ監視装置から前記ＩＳＤＮ回線を介して前記監視センターに発信することによって前記音声伝送用チャンネルを接続することを特徴とする請求項３記載のエレベータの遠隔監視システム。
【請求項５】
エレベータのかごに設けられ外部との通話を行うインターホンと、エレベータの状態を監視し状況に応じて発信するエレベータ監視装置と、エレベータの状態を集中して遠隔監視する監視センターと、前記監視センターに設けられた監視端末と、前記監視センターに設けられた通話装置と、前記エレベータ監視装置と前記監視センターの間を結ぶデジタル通信回線により構成されるエレベータの遠隔監視システムにおいて、
前記デジタル通信回線に２つのチャンネルを設け、１つのチャンネルを情報のやりとりを行う情報伝送用チャンネル、もう１つのチャンネルを音声のやりとりを行う音声伝送用チャンネルとして使用し、
エレベータの故障・異常などを検出し、前記エレベータ監視装置から前記デジタル通信回線を介して前記監視センターに発信する場合、最初に前記情報伝送用チャンネルを接続し、
前記監視センターにおいてかご内との通話が必要であると判断した場合、前記監視センターから前記情報伝送用チャンネルを介して前記エレベータ監視装置にかご内との通話を行うために必要な情報を伝送し、
前記エレベータ監視装置から前記デジタル通信回線を介して前記監視センターに発信するか、あるいは前記監視センターから前記デジタル通信回線を介して前記エレベータ監視装置に発信するかして前記音声伝送用チャンネルを接続し、
前記監視センターにおいて他のかご内との通話が必要であると判断した場合、前記監視センターから前記情報伝送用チャンネルを介して前記エレベータ監視装置に他のかご内との通話を行うために必要な情報を伝送し、前記インターホンと前記エレベータ監視装置との接続を切り替えることを特徴とするエレベータの遠隔監視システム。
【請求項６】
エレベータのかごに設けられ外部との通話を行うインターホンと、エレベータの状態を監視し状況に応じて発信するエレベータ監視装置と、エレベータの状態を集中して遠隔監視する監視センターと、前記監視センターに設けられた監視端末と、前記監視センターに設けられた通話装置と、前記エレベータ監視装置と前記監視センターの間を結ぶデジタル通信回線により構成されるエレベータの遠隔監視システムにおいて、
前記デジタル通信回線に１つのチャンネルを設け、１つのチャンネルを情報のやりとりを行う情報伝送用チャンネルと音声のやりとりを行う音声伝送用チャンネルとして交互に切り替えて使用し、
エレベータの故障・異常などを検出し、前記エレベータ監視装置から前記デジタル通信回線を介して前記監視センターに発信する場合、最初に前記情報伝送用チャンネルを接続し、
前記監視センターにおいてかご内との通話が必要であると判断した場合、前記監視センターから前記情報伝送用チャンネルを介して前記エレベータ監視装置にかご内との通話を行うために必要な情報を伝送し、前記情報伝送用チャンネルを切断した後に、
前記エレベータ監視装置から前記デジタル通信回線を介して前記監視センターに発信するか、あるいは前記監視センターから前記デジタル通信回線を介して前記エレベータ監視装置に発信するかして前記音声伝送用チャンネルを接続し、
前記監視センターにおいて他のかご内との通話が必要であると判断した場合、前記監視センターから前記情報伝送用チャンネルを介して前記エレベータ監視装置に他のかご内との通話を行うために必要な全ての情報を伝送しておき、１回毎の通話で前記音声伝送用チャンネルを接続・切断するたびに、前記インターホンと前記エレベータ監視装置との接続を切り替えることを特徴とするエレベータの遠隔監視システム。
【請求項７】
エレベータのかごに設けられ外部との通話を行うインターホンと、エレベータの状態を監視し状況に応じて発信するエレベータ監視装置と、エレベータの状態を集中して遠隔監視する監視センターと、前記監視センターに設けられた監視端末と、前記監視センターに設けられた通話装置と、前記エレベータ監視装置と前記監視センターの間を結ぶＩＳＤＮ回線により構成されるエレベータの遠隔監視システムにおいて、
前記ＩＳＤＮ回線に１つのチャンネルを設け、１つのチャンネルを情報のやりとりを行う情報伝送用チャンネルと音声のやりとりを行う音声伝送用チャンネルとして交互に切り替えて使用し、
エレベータの故障・異常などを検出し、前記エレベータ監視装置から前記ＩＳＤＮ回線を介して前記監視センターに発信する場合、最初に前記情報伝送用チャンネルを接続し、
前記監視センターにおいていずれかのかご内との通話が必要であると判断した場合、前記情報伝送用チャンネルを切断した後に、前記監視センターから前記ＩＳＤＮ回線を介して前記エレベータ監視装置に、通話が必要であると判断したかご内のインターホンに固有のサブアドレスを指定して発信し、前記音声伝送用チャンネルを接続し、前記サブアドレスで指定されたインターホンと前記エレベータ監視装置とを接続することを特徴とするエレベータの遠隔監視システム。
【発明の詳細な説明】
【０００１】
【発明の属する技術分野】
本発明は、エレベ−タの状態を公衆回線を使用して遠隔地においても監視可能とするエレベータの遠隔監視システムに関する。
【０００２】
【従来の技術】
図６は、従来のエレベ−タの遠隔監視システムにおける構成を示す構成図である。
【０００３】
図６において、１ａ，１ｂ，１ｃはエレベータのかご内に設けられ外部との通話を行うインターホン、２ａ，２ｂ，２ｃはエレベータの状態を監視し状況に応じて発信するエレベータ監視装置、３はエレベータの状態を集中して遠隔監視する監視センター、４は監視センター３に設けられた監視端末、５は監視センター３に設けられた通話装置、６は監視端末４と通話装置５に接続され情報と音声を並行伝送するために多重化する多重化装置、７はエレベータ監視装置２ａに接続され情報と音声を並行伝送するために多重化する多重化装置、８は多重化装置６と多重化装置７の間を結ぶ公衆回線である。なお、公衆回線８としては一般電話回線あるいはデジタル通信回線であるＩＳＤＮの１つのチャンネルが使用されるが、ここでは一般電話回線が使用されている。
また、上記番号のａからｃは、エレベータの１号機から３号機を示している。
【０００４】
つぎに、上記構成の従来のエレベ−タの遠隔監視システムの動作について説明する。
【０００５】
ある時点で、エレベータ１号機の故障・異常などを検出し、かつ、エレベータ１号機のかご内のインターホン１ａで通話を行う場合、故障・異常などの情報とインターホン１ａからの音声をエレベータ監視装置２ａから多重化装置７・公衆回線８を介して監視センター３に発信する。この場合、多重化装置７では入力された情報と音声を一定の多重化方式で変換している。
【０００６】
監視センター３に着信した多重化された情報と音声は多重化装置６に入力され情報と音声に分離される。そして、情報は監視端末４へ入力され、音声は通話装置５へ入力される。
【０００７】
上記の例では、エレベータ監視装置２ａから監視センター３に発信する場合を示したが、監視センター３からエレベータ監視装置２ａに発信する場合も同様である。
【０００８】
また、上記の例では、エレベータ１号機について示したが、エレベータ２号機・３号機の場合も同様である。
【０００９】
さらに、上記の例では、多重化装置６及び７を設けてハードウェアで多重化を行ったが、多重化装置６及び７を設けずにソフトウェアで多重化を行うこともできる。
【００１０】
【発明が解決しようとする課題】
従来の技術において、エレベータ監視装置と監視センターの間で情報と音声のやりとりを行うときに、ハードウェアで多重化を行った場合、エレベータ監視装置と監視センターの双方に専用の多重化装置が必要なため、汎用性に欠ける。
【００１１】
また、ソフトウェアで多重化を行った場合、処理負荷がかなり大きくなるため、特に音声をリアルタイムで処理することが難しくなる。
【００１２】
さらに、多重化方式、すなわち、データの構造化や伝送の形態によっては、データの種類を識別するための部分が増えたり、データの種類の追加・削除を容易に行えないことも考えられる。
【００１３】
本発明は、このような問題点を解決するためになされたもので、エレベータ監視装置と監視センターの間で情報と音声のやりとりを行うときに、簡単な構成で情報と音声の品質を落とさずに効率良くやりとりを行うことができる、エレベータの遠隔監視システムを得ることを目的とする。
【００１４】
【課題を解決するための手段】
本発明は、エレベータのかごに設けられ外部との通話を行うインターホンと、エレベータの状態を監視し状況に応じて発信するエレベータ監視装置と、エレベータの状態を集中して遠隔監視する監視センターと、前記監視センターに設けられた監視端末と、前記監視センターに設けられた通話装置と、前記エレベータ監視装置と前記監視センターの間を結ぶＩＳＤＮ回線により構成されるエレベータの遠隔監視システムにおいて、前記ＩＳＤＮ回線に２つのチャンネルを設け、１つのチャンネルを情報のやりとりを行う情報伝送用チャンネル、もう１つのチャンネルを音声のやりとりを行う音声伝送用チャンネルとして使用することとし、前記音声伝送チャンネルを接続していないときにエレベータの故障・異常などを検出した場合、その検出当初の所定期間は前記情報伝送用チャンネルだけ接続するものである。
【００１５】
また、前記所定期間は、前記監視センターにおいてかご内との通話が必要であると判断するまでの期間を含んでいるものである。
【００１６】
また、前記監視センターにおいてかご内との通話が必要であると判断した場合、前記監視センターから前記情報伝送用チャンネルを介して前記エレベータ監視装置に、通話が必要であると特定したかご内との通話を行うために必要な情報を伝送し、その後に前記音声伝送用チャンネルを接続するものである。
【００１７】
また、前記エレベータ監視装置から前記ＩＳＤＮ回線を介して前記監視センターに発信することによって前記音声伝送用チャンネルを接続するものである。
【００１８】
また、本発明は、エレベータのかごに設けられ外部との通話を行うインターホンと、エレベータの状態を監視し状況に応じて発信するエレベータ監視装置と、エレベータの状態を集中して遠隔監視する監視センターと、前記監視センターに設けられた監視端末と、前記監視センターに設けられた通話装置と、前記エレベータ監視装置と前記監視センターの間を結ぶデジタル通信回線により構成されるエレベータの遠隔監視システムにおいて、
前記デジタル通信回線に２つのチャンネルを設け、１つのチャンネルを情報のやりとりを行う情報伝送用チャンネル、もう１つのチャンネルを音声のやりとりを行う音声伝送用チャンネルとして使用し、
エレベータの故障・異常などを検出し、前記エレベータ監視装置から前記デジタル通信回線を介して前記監視センターに発信する場合、最初に前記情報伝送用チャンネルを接続し、
前記監視センターにおいてかご内との通話が必要であると判断した場合、前記監視センターから前記情報伝送用チャンネルを介して前記エレベータ監視装置にかご内との通話を行うために必要な情報を伝送し、
前記エレベータ監視装置から前記デジタル通信回線を介して前記監視センターに発信するか、あるいは前記監視センターから前記デジタル通信回線を介して前記エレベータ監視装置に発信して前記音声伝送用チャンネルを接続し、
前記監視センターにおいて他のかご内との通話が必要であると判断した場合、前記監視センターから前記情報伝送用チャンネルを介して前記エレベータ監視装置に他のかご内との通話を行うために必要な情報を伝送し、前記インターホンと前記エレベータ監視装置との接続を切り替えるものである。
【００２３】
また、本発明は、エレベータのかごに設けられ外部との通話を行うインターホンと、エレベータの状態を監視し状況に応じて発信するエレベータ監視装置と、エレベータの状態を集中して遠隔監視する監視センターと、前記監視センターに設けられた監視端末と、前記監視センターに設けられた通話装置と、前記エレベータ監視装置と前記監視センターの間を結ぶデジタル通信回線により構成されるエレベータの遠隔監視システムにおいて、前記デジタル通信回線に１つのチャンネルを設け、１つのチャンネルを情報のやりとりを行う情報伝送用チャンネルと音声のやりとりを行う音声伝送用チャンネルとして交互に切り替えて使用し、エレベータの故障・異常などを検出し、前記エレベータ監視装置から前記デジタル通信回線を介して前記監視センターに発信する場合、最初に前記情報伝送用チャンネルを接続し、前記監視センターにおいてかご内との通話が必要であると判断した場合、前記監視センターから前記情報伝送用チャンネルを介して前記エレベータ監視装置にかご内との通話を行うために必要な情報を伝送し、前記情報伝送用チャンネルを切断した後に、
前記エレベータ監視装置から前記デジタル通信回線を介して前記監視センターに発信するか、あるいは前記監視センターから前記デジタル通信回線を介して前記エレベータ監視装置に発信するかして前記音声伝送用チャンネルを接続し、
前記監視センターにおいて他のかご内との通話が必要であると判断した場合、前記監視センターから前記情報伝送用チャンネルを介して前記エレベータ監視装置に他のかご内との通話を行うために必要な全ての情報を伝送しておき、１回毎の通話で前記音声伝送用チャンネルを接続・切断するたびに、前記インターホンと前記エレベータ監視装置との接続を切り替えるものである。
【００２４】
また、本発明は、エレベータのかごに設けられ外部との通話を行うインターホンと、エレベータの状態を監視し状況に応じて発信するエレベータ監視装置と、エレベータの状態を集中して遠隔監視する監視センターと、前記監視センターに設けられた監視端末と、前記監視センターに設けられた通話装置と、前記エレベータ監視装置と前記監視センターの間を結ぶＩＳＤＮ回線により構成されるエレベータの遠隔監視システムにおいて、前記ＩＳＤＮ回線に１つのチャンネルを設け、１つのチャンネルを情報のやりとりを行う情報伝送用チャンネルと音声のやりとりを行う音声伝送用チャンネルとして交互に切り替えて使用し、エレベータの故障・異常などを検出し、前記エレベータ監視装置から前記ＩＳＤＮ回線を介して前記監視センターに発信する場合、最初に前記情報伝送用チャンネルを接続し、前記監視センターにおいていずれかのかご内との通話が必要であると判断した場合、前記情報伝送用チャンネルを切断した後に、前記監視センターから前記ＩＳＤＮ回線を介して前記エレベータ監視装置に、通話が必要であると判断したかご内のインターホンに固有のサブアドレスを指定して発信し、前記音声伝送用チャンネルを接続し、前記サブアドレスで指定されたインターホンと前記エレベータ監視装置とを接続するものである。
【００２６】
【発明の実施の形態】
実施形態１．
図１は、本発明の一実施形態であるエレベ−タの遠隔監視システムにおいて、公衆回線に２つのチャンネルを設けた構成を示す構成図である。
【００２７】
図１において、上記従来例と同一符号及び記号は上記従来例の構成部分と同一または相当する構成部分を示し、同一または相当する動作をする。
【００２８】
図１において、９はエレベータ監視装置２ａと監視センター３の間を結ぶ公衆回線である。なお、公衆回線９としてはデジタル通信回線であるＩＳＤＮが使用されている。
【００２９】
公衆回線９には２つのチャンネルが設けられ、情報のやりとりを行う情報伝送用チャンネルは監視端末４に接続され、音声のやりとりを行う音声伝送用チャンネルは通話装置５に接続されるようになっている。
【００３０】
つぎに、上記構成の本発明の一実施形態であるエレベ−タの遠隔監視システムの動作について説明する。
【００３１】
図２は、本発明の一実施形態であるエレベ−タの遠隔監視システムにおいて、公衆回線に２つのチャンネルを設けたときの動作を示すフローチャートである。
【００３２】
ステップＳ１では、ある時点で、エレベータ１号機の故障・異常などを検出したかの判断が行われる。故障・異常などを検出していればステップＳ２へ進み、故障・異常などを検出していなければステップＳ１へ戻る。
【００３３】
ステップＳ２では、エレベータ監視装置２ａから公衆回線９を介して監視センター３に発信し、情報伝送用チャンネルが接続される。この情報伝送用チャンネルは、監視センター３において監視端末４へ接続される。そして、必要な情報を監視センター３で収集し、ステップＳ３へ進む。
【００３４】
ステップＳ３では、監視センター３において、エレベータ１号機のかご内との通話が必要かの判断が行われる。エレベータ１号機のかご内との通話が必要ならばステップＳ４へ進み、エレベータ１号機のかご内との通話が必要でないならばステップＳ１２へ進む。
【００３５】
ステップＳ１２では、エレベータ監視装置２ａと監視センター３を接続している情報伝送用チャンネルが切断され、動作を終了する。
【００３６】
ステップＳ４では、監視センター３の監視端末４から情報伝送用チャンネルを介してエレベータ監視装置２ａに、エレベータ１号機のかご内との通話を行うために必要な情報を伝送し、ステップＳ５へ進む。
【００３７】
ステップＳ５では、エレベータ監視装置２ａから公衆回線９を介して監視センター３に発信し、あるいは、監視センター３から公衆回線９を介してエレベータ監視装置２ａに発信し、音声伝送用チャンネルが接続される。この音声伝送用チャンネルは、監視センター３において通話装置５へ接続され、エレベータ監視装置２ａにおいてインターホン１ａと接続される。これにより、インターホン１ａと通話装置５の間で通話ができるようになる。そして、ステップＳ６へ進む。
【００３８】
ステップＳ６では、インターホン１ａと通話装置５との間での通話が終了し、ステップＳ７へ進む。
【００３９】
ステップＳ７では、監視センター３において、他のエレベータ、すなわち、エレベータ１号機以外のかご内との通話が必要かの判断が行われる。エレベータ１号機以外のかご内との通話が必要ならばステップＳ８へ進み、エレベータ１号機以外のかご内との通話が必要でないならばステップＳ１１へ進む。
【００４０】
ステップＳ１１では、エレベータ監視装置２ａと監視センター３を接続している音声伝送用チャンネルが切断され、ステップＳ１２へ進む。
【００４１】
ステップＳ８では、監視センター３の監視端末４から情報伝送用チャンネルを介してエレベータ監視装置２ａに、エレベータ１号機以外のかご内との通話を行うために必要な情報を伝送し、ステップＳ９へ進む。
【００４２】
ステップＳ９では、インターホン１ａ，１ｂ，１ｃとエレベータ監視装置２ａ，２ｂ，２ｃとの間で、接続するインターホンの切り替えが行われる。これにより、インターホン１ｂあるいは１ｃと通話装置５の間で通話ができるようになる。そしてステップＳ１０へ進む。
【００４３】
ステップＳ１０では、インターホン１ｂあるいは１ｃと通話装置５との間での通話が終了し、ステップＳ７へ戻る。
【００４４】
実施形態２．
図３は、本発明の一実施形態であるエレベータの遠隔監視システムにおいて、公衆回線に１つのチャンネルを設け監視端末と接続した構成を示す構成図である。
【００４５】
図４は、本発明の一実施形態であるエレベータの遠隔監視システムにおいて、公衆回線に１つのチャンネルを設け通話装置と接続した構成を示す構成図である。
【００４６】
図３及び図４において、上記従来例及び上記実施形態と同一符号及び記号は上記従来例及び上記実施形態の構成部分と同一または相当する構成部分を示し、同一または相当する動作をする。
また、図３及び図４において、公衆回線９から実線で結ばれている区間はチャンネルがつながっている状態を示し、公衆回線９から破線で結ばれている区間はチャンネルがつながっていない状態を示している。
【００４７】
公衆回線９には１つのチャンネルが設けられ、交互に切り替えて使用され、情報のやりとりを行う情報伝送用チャンネルとして使用するときは監視端末４に接続され、音声のやりとりを行う音声伝送用チャンネルとして使用するときは通話装置５に接続されるようになっている。
【００４８】
つぎに、上記構成の本発明の一実施形態であるエレベータの遠隔監視システムの動作について説明する。
【００４９】
図５は、本発明の一実施形態であるエレベータの遠隔監視システムにおいて、公衆回線に１つのチャンネルを設けたときの動作を示すフローチャートである。
【００５０】
ステップＳ３１では、ある時点で、エレベータ１号機の故障・異常などを検出したかの判断が行われる。故障・異常などを検出していればステップＳ３２へ進み、故障・異常などを検出していなければステップＳ３１へ戻る。
【００５１】
ステップＳ３２では、エレベータ監視装置２ａから公衆回線９を介して監視センター３に発信し、情報伝送用チャンネルが接続される。この情報伝送用チャンネルは、監視センター３において監視端末４へ接続される。そして、必要な情報を監視センター３で収集し、ステップＳ３３へ進む。
【００５２】
ステップＳ３３では、監視センター３においてエレベータ１号機のかご内との通話が必要かの判断が行われる。エレベータ１号機のかご内との通話が必要ならばステップＳ３４へ進み、エレベータ１号機のかご内との通話が必要でないならばステップＳ４６へ進む。
【００５３】
ステップＳ４６では、エレベータ監視装置２ａと監視センター３を接続している情報伝送用チャンネルが切断され、動作を終了する。
【００５４】
ステップＳ３４では、監視センター３において他のエレベータ、すなわち、エレベータ１号機以外のかご内との通話が必要かの判断が行われる。エレベータ１号機以外のかご内との通話が必要ならばステップＳ３５へ進み、エレベータ１号機以外のかご内との通話が必要でないならばステップＳ４１へ進む。
【００５５】
ステップＳ４１では、監視センター３の監視端末４から情報伝送用チャンネルを介してエレベータ監視装置２ａに、エレベータ１号機のかご内との通話を行うために必要な情報を伝送し、ステップＳ４２へ進む。
【００５６】
ステップＳ４２では、エレベータ監視装置２ａと監視センター３を接続している情報伝送用チャンネルが切断され、ステップＳ４３へ進む。
【００５７】
ステップＳ４３では、エレベータ監視装置２ａから公衆回線９を介して監視センター３に発信し、あるいは、監視センター３から公衆回線９を介してエレベータ監視装置２ａに発信し、音声伝送用チャンネルが接続される。この音声伝送用チャンネルは、監視センター３において通話装置５へ接続され、エレベータ監視装置２ａにおいてインターホン１ａと接続される。これにより、インターホン１ａと通話装置５の間で通話ができるようになる。そしてステップＳ４４へ進む。
【００５８】
ステップＳ４４では、インターホン１ａと通話装置５との間での通話が終了し、ステップＳ４５へ進む。
【００５９】
ステップＳ４５では、エレベータ監視装置２ａと監視センター３を接続している音声伝送用チャンネルが切断され、動作を終了する。
【００６０】
ステップＳ３５では、監視センター３の監視端末４から情報伝送用チャンネルを介してエレベータ監視装置２ａに、エレベータ１号機及び１号機以外のかご内との通話を行うために必要な全ての情報を伝送し、ステップＳ３６へ進む。
【００６１】
ステップＳ３６では、エレベータ監視装置２ａと監視センター３を接続している情報伝送用チャンネルが切断され、ステップＳ３７へ進む。
【００６２】
ステップＳ３７では、エレベータ監視装置２ａから公衆回線９を介して監視センター３に発信し、あるいは、監視センター３から公衆回線９を介してエレベータ監視装置２ａに発信し、音声伝送用チャンネルが接続される。この音声伝送用チャンネルは、監視センター３において通話装置５へ接続され、エレベータ監視装置２ａにおいてインターホン１ａと接続される。これにより、インターホン１ａと通話装置５の間で通話ができるようになる。そしてステップＳ３８へ進む。
【００６３】
ステップＳ３８では、インターホン１ａと通話装置５との間での通話が終了し、ステップＳ３９へ進む。
【００６４】
ステップＳ３９では、エレベータ監視装置２ａと監視センター３を接続している音声伝送用チャンネルが切断され、ステップＳ４０へ進む。
【００６５】
ステップＳ４０では、エレベータ監視装置２ａ及び監視センター３のそれぞれにおいて、他のエレベータ、すなわち、エレベータ１号機以外のかご内との通話が終了したかの判断が行われる。エレベータ１号機以外のかご内との通話が終了していれば、動作を終了する。エレベータ１号機以外のかご内との通話が終了していなければ、ステップＳ４７へ進む。
【００６６】
ステップＳ４７では、インターホン１ａ，１ｂ，１ｃとエレベータ監視装置２ａ，２ｂ，２ｃとの間で、接続するインターホンの切り替えが行われ、ステップＳ３７へ戻る。
【００６７】
また、上記の一実施形態の変形として、監視センター３においていずれかのかご内との通話が必要であると判断した場合、情報伝送用チャンネルを切断した後に、監視センター３から公衆回線９を介してエレベータ監視装置２ａにサブアドレスを指定して発信し、音声伝送用チャンネルを接続し、インターホン１ａ，１ｂ， １ｃとエレベータ監視装置２ａ，２ｂ，２ｃとの接続を切り替えることも可能である。
【００６８】
以上は、実施形態の一部を示したものであり、本発明は実施形態に限定されない。
【００６９】
【発明の効果】
以上のように本発明によれば、エレベータ監視装置と監視センターの間で情報と音声のやりとりを行うときに、簡単な構成で情報と音声の品質を落とさずに効率良くやりとりを行うことができる。
【００７０】
また、デジタル通信回線であるＩＳＤＮの特性を利用して、エレベータ監視装置と監視センターの双方に専用の多重化装置を設けることなく、情報と音声を並行伝送することができる。
【図面の簡単な説明】
【図１】本発明の一実施形態であるエレベ−タの遠隔監視システムにおいて、公衆回線に２つのチャンネルを設けた構成を示す構成図。
【図２】本発明の一実施形態であるエレベ−タの遠隔監視システムにおいて、公衆回線に２つのチャンネルを設けたときの動作を示すフローチャート。
【図３】本発明の一実施形態であるエレベータの遠隔監視システムにおいて、公衆回線に１つのチャンネルを設け監視端末と接続した構成を示す構成図。
【図４】本発明の一実施形態であるエレベータの遠隔監視システムにおいて、公衆回線に１つのチャンネルを設け通話装置と接続した構成を示す構成図。
【図５】本発明の一実施形態であるエレベータの遠隔監視システムにおいて、公衆回線に１つのチャンネルを設けたときの動作を示すフローチャート。
【図６】従来のエレベータの遠隔監視システムにおける構成を示す構成図。
【符号の説明】
１ａ，１ｂ，１ｃ    インターホン
２ａ，２ｂ，２ｃ    エレベータ監視装置
３                  監視センター
４                  監視端末
５                  通話装置
６                （監視センター側）多重化装置
７                （エレベータ監視装置側）多重化装置
８                  公衆回線（一般電話回線）
９                  公衆回線（デジタル通信回線…ＩＳＤＮ）
【図１】
0004626024.tif 000002
【図２】
0004626024.tif 000003
【図３】
0004626024.tif 000004
【図４】
0004626024.tif 000005
【図５】
0004626024.tif 000006
【図６】
0004626024.tif 000007